(57)【要約】　　　（修正有）【課題】クラブヘッドのフェイスが簡単に傾斜（仰）角度の大小を調節する機能を持ち、どの長さのクラブでもスムーズにスイングができ、障害物を避けて、ニーズに合わせた、高低の放物線を描くことが可能なゴルフクラブヘッドの傾斜角調整構造を提供する。【解決手段】本考案のゴルフクラブヘッドの傾斜角調整構造は、ヘッドのネック部分に上が広く下がせまくなった、逆三角形のやや長めの調節穴２３がある。シャフト末端に、それぞれ、ねじ固定式及びはめこみ式の、固定リング４０と固定カバー３０が、やや長めの調整穴の内部に挿入されて、楔軸２６によって、シャフトをヘッドのネック部分の内部に固定する。シャフトは楔軸で長めの調整穴の内定点において、左右に移動し、ヘッドのフェイスとシャフトの間の傾斜（仰）角度を調整する。さらに、傾斜（仰）角度が変化した後、固定リング及び固定カバーによって、シャフトをヘッドのネック内部に固定させる。【選択図】　　図３
0003099693.tif 000002
【実用新案登録請求の範囲】
【請求項１】
ヘッド、固定カバー、固定リング、及び、シャフトからなり、ヘッドは、成型時に垂直に伸びたネックを持ち、各ヘッドは号数によって、そのフェイスとネックの間に、それぞれ、あらかじめ傾斜（仰）角度を持ち、シャフト先端にはグリップが取り付けられていて、
ヘッドは、そのネックに、上が広く下がせまくなった、逆三角形のやや長めの調整穴があり、この長めの調整穴の口は、あらかじめ、ある程度角度を持った固定槽があって、ネックのやや長めの調整穴の底部付近に貫通する結合穴あり、楔軸によってシャフトをやや長めの調整穴の内部に結合させ、
固定カバーは、その内部に縦向きのカバー穴があって、底部面のカバー穴の周囲には固定突起が三つあって、正三角形を形成し、
固定リングは、その内部にねじ山を持つねじ穴があり、
シャフトは、底部には結合穴があって、その結合穴上方には、適度な位置にねじ山部分があり、
固定リングがシャフトのねじ山部分に結合され、固定リングはカバー穴によってシャフト末端にはめこまれ、固定リングの下方に取り付けられ、シャフトが末端でヘッドのネックの調節穴内に挿入されて、楔軸によって固定され、ゴルフクラブのヘッドの傾斜角度を変化させるという特長を持つ、ゴルフクラブヘッドの傾斜角調整構造。
【請求項２】
固定カバー底面の形状が、ヘッドのネック部分の先端の形状にしたがって、同様の形状に設計されているという特長を持つ、請求項１に記載のゴルフクラブヘッドの傾斜角調整構造。
【請求項３】
調節穴の口の周囲にある固定槽の形状と固定カバーに設けられた固定突起の形状が、いかなる組み合わせのはめ込み形状でも可能であるという特長を持つ、請求項１に記載のゴルフクラブヘッドの傾斜角調整構造。
【請求項４】
ヘッドのネック部分と固定カバー間は、凹凸のはめ込み形態で、シャフトの動きをやや長めの調節穴内に制限するという特長を持つ、請求項１に記載のゴルフクラブヘッドの傾斜角調整構造。
【請求項５】
ヘッドのネック内にあるやや長めの調節穴の形状が楕円形の調節穴で、ヘッドのフェイスと、シャフトの間の傾斜角度の調整範囲を広くするという特長を持つ、請求項１に記載のゴルフクラブヘッドの傾斜角調整構造。
【考案の詳細な説明】
【０００１】
【考案の属する技術分野】
本考案はゴルフクラブヘッドの傾斜角調整構造に関する。本考案のゴルフクラブヘッドの傾斜（仰）角調整構造は、シャフトとヘッドの結合部分に調整構造があり、簡単にフェイスの傾斜角度を変化させることができる。したがって、スイング動作中、障害物を避けてスムーズに打つことができ、ニーズに合わせた高さの放物線を描くことが可能である。
【０００２】
【従来の技術及び課題】
図１、図２を参照いただきたい。従来のゴルフクラブの構造は、ヘッド１０が成型される時に、端が垂直に伸びてネック１１になっている。各ヘッド１０は、号数によって、そのフェイス１２とネック１１の間が、それぞれ異なった傾斜（仰）角度をしている。ネック１１には結合穴１３があって、シャフト１４の末端に保護カバー１５がはめられて、ネック１１の結合穴１３内に接着されて固定される。シャフト１４は直接ヘッド１０のネック１１に挿入されるので、号数が異なると、シャフトの長さや重心も異なる上に、そのヘッド１０のフェイス１２とシャフト間は、全て異なった傾斜（仰）角度を呈する。簡単に言えば、ヘッド１０のフェイス１２とシャフト１４の間の傾斜（仰）角度が小さい場合は、ボールを打った時、比較的低い飛行放物線を描く。逆に、ヘッド１０のフェイス１２とシャフト１４の間の傾斜（仰）角度が大きい場合は、ボールを打った時、比較的高い飛行放物線を描く。一般に、ゴルフバッグの中には、３、４、５、６、７、８、９、Ｐ、Ｓ号の９本のアイアン、及び、１、３、５号の３本のウッドが収納されていて、各クラブの特性をうまく利用して異なった放物線と距離によって、少ないストロークで精確にグリーンにのせるのがよしとされる。事実上、ゴルファーは１８ホール回る際、ボールの落下点がよくないと、障害物（一般には大きな木）の後ろに落ちて、ボールとグリーンを遮ることになる。この時、ベテランゴルファーなら、スタンスを変え、長い（号数の小さい）アイアンでボールを打つ角度を大きくすることによって、高い放物線を描き、ボールは簡単に障害物の上方を越えてピンチを切り抜ける。あるいは、スタンスを変え、短い（号数の大きい）アイアンでボールを打つ角度を小さくすることによって、低い放物線を描き、ボールは簡単に障害物の下方をくぐり抜けてピンチを切り抜ける。こうして、ボールを目的地に到達させるのである。つまり、ヘッド１０のフェイス１２とシャフト１４の間の傾斜（仰）角度によって、ボールが打たれた時の放物線の高低が決まるのである。したがって、クラブのヘッド１０とシャフト１４の間に角度を調整する構造があれば、スイング技術が未熟でも、簡単にピンチから脱出することができる。
しかしながら、従来のゴルフクラブのヘッドのフェイスとシャフトの間の傾斜（仰）角度は、成型の際にすでに決まっていて、テクニックの未熟なゴルファーは、適度な長さ（号数）のクラブを選んで、ニーズに合わせた放物線や高度を打ち出すことはなかなか困難である。
【０００３】
【課題を解決するための手段】
本考案のゴルフクラブヘッドの傾斜角調整構造は、ヘッドのネック部分に上が広く下がせまくなった、逆三角形のやや長めの調節穴がある。シャフト末端に、それぞれ、ねじ固定式及びはめこみ式の、固定リングと固定カバーが、やや長めの調整穴の内部に挿入されて、楔軸によって、シャフトをヘッドのネック部分の内部に固定する。シャフトは楔軸で長めの調整穴の内定点において、左右に移動し、ヘッドのフェイスとシャフトの間の傾斜（仰）角度を調整する。さらに、傾斜（仰）角度が変化した後、固定リング及び固定カバーによって、シャフトをヘッドのネック内部に固定させる。
【０００４】
【考案の実施の形態】
図３を参照いただきたい。本考案のゴルフクラブヘッドの傾斜角調整構造は、ヘッド２０、固定カバー３０、固定リング４０、及び、シャフト５０からなる。そのうち、ヘッド２０は、従来の技術による、成型時に垂直に伸びたネック２１と同様である。各ヘッド２０は号数によって、フェイス２２とネック２１の間に、それぞれ、あらかじめ傾斜（仰）角度を持つ。本考案のゴルフクラブヘッドの傾斜角調整構造は、ヘッド２０のネック２１には、上が広く下がせまくなった、逆三角形のやや長めの調整穴２３があり、この長めの調整穴２３の口は、あらかじめ、ある程度角度を持った固定槽２４があって、ネック２１のやや長めの調整穴２３の底部付近に貫通する結合穴２５あり、楔軸２６によってシャフト５０をやや長めの調整穴２３の内部に結合させる。
【０００５】
固定カバー３０は、その内部に縦向きのカバー穴３１があって、このカバー穴３１の内径はちょうどシャフト５０末端の外形と同じである。固定カバー３０底部面の形状は、ヘッド２０のネック２１の上部の形状と同じように設計されている。固定カバー３０底部面のカバー穴３１の周囲には固定突起３２が三つあって、正三角形を形成する。
【０００６】
固定リング４０は、その内部にねじ山を持つねじ穴４１がある。
シャフト５０は、従来の技術の、先端にグリップ５１が取り付けられていて、底部には結合穴５２があって、その結合穴５２上方には、適度な位置にねじ山部分５３がある。
【０００７】
図４、図６を合わせて参照いただきたい。本考案のゴルフクラブヘッドを組み立てた図及び傾斜角の見取り図である。まず、固定リング４０は、ねじ穴４１によってシャフト５０のねじ山部分５３に結合される。固定カバー３０はカバー穴３１によってシャフト５０末端にはめこまれ、固定リング４０の下方に取り付けられる。シャフト５０が末端でヘッド２０のネック２１の調節穴２３内に挿入されると、楔軸２６がヘッド２０のネック２１にある結合穴２５に挿入され、シャフト５０の結合穴５２を通過して、シャフト５０とヘッド２０を互いに結合して固定する。シャフト５０は、楔軸２６を軸としてネック２１のやや長めの調節穴２３内で左右に移動する機能を持ち、ヘッド２０のフェイス２２とシャフト５０の間の傾斜（仰）角度を変化させる。
【０００８】
図４、図５を参照いただきたい。シャフト５０はヘッド２０のネック２１のやや長めの調節穴２３内で左に移動し、シャフト５０とヘッド２０のフェイス２２の間の傾斜（仰）角度は小さい。固定カバー３０が底部面でヘッド２０のネック２１の先端を押し付け、そのカバー穴３１の周囲にある固定突起３２が、やや長めの調節穴２３口の左半分にある固定槽２４内（図５に示した状態）にはまり込んで、固定リング４０がシャフト５０のねじ山部分５３で、下に向かって締められて、固定カバー３０上部面を押し付けて、シャフト５０をやや長めの調整穴２３の左側の位置に固定する。
【０００９】
図６、図７を参照いただきたい。ヘッド２０のフェイス２２とシャフト５０の間の傾斜（仰）角度を大きく調節したい時は、まず、シャフト５０のねじ山部分に、固定リング４０を上に向かって緩めると、固定カバー３０が上にスライドし、固定カバー３０の底面にある固定突起３２が、やや長めの調節穴２３の固定槽２４から離脱して、シャフト５０が楔軸２６によって、右側に移動し、固定カバー３０が再び底面でヘッド２０のネック２１の先端を押し付けて、カバー穴３１の周囲にある固定突起３２が、やや長めの調整穴２３右半分にある固定槽２４内（図７に示した状態）にはまり込んで、固定リング４０がシャフト５０のねじ山部分５３で下に締められ、固定カバー３０の上面を押し付け、シャフト５０をやや長めの調節穴２３の右側に固定する。
【００１０】
このように、本考案のゴルフクラブヘッドの傾斜角調整構造は、クラブヘッドのフェイスが簡単に傾斜（仰）角度の大小を調節する機能を持ち、どの長さのクラブでもスムーズにスイングができ、障害物を避けて、ニーズに合わせた、高低の放物線を描くことが可能である。
【００１１】
【考案の効果】
本考案のゴルフクラブヘッドの傾斜角調整構造は、クラブヘッドのフェイスが簡単に傾斜（仰）角度の大小を調節する機能を持ち、どの長さのクラブでもスムーズにスイングができ、障害物を避けて、ニーズに合わせた、高低の放物線を描くことが可能である。したがって、ビギナーでも楽に障害物を避けて、うまくグリーンに持っていけるという特長を持つ。
【図面の簡単な説明】
【図１】従来のゴルフクラブの構造の分解外観図である。
【図２】従来のゴルフクラブの構造の組立外観図である。
【図３】本考案のゴルフクラブヘッドの傾斜角調整構造の、分解外観図である。
【図４】本考案のゴルフクラブヘッドの傾斜角調整構造の、組立図及び角度を小さく調整する様子を示した図である。
【図５】図４をＡ面で切断した断面図である。
【図６】本考案のゴルフクラブヘッドの傾斜角調整構造の、角度を大きく調整する様子を示した図である。
【図７】図６をＢ面で切断した断面図である。
【符号の説明】
１０　　　ヘッド　　　　　　　　　１１　　　ネック
１２　　　フェイス　　　　　　　　１３　　　結合穴
１４　　　シャフト　　　　　　　　１５　　　保護カバー
２０　　　ヘッド　　　　　　　　　２１　　　ネック
２２　　　フェイス　　　　　　　　２３　　　調節穴
２４　　　固定槽　　　　　　　　　２５　　　結合穴
２６　　　楔軸　　　　　　　　　　３０　　　固定カバー
３１　　　カバー穴　　　　　　　　３２　　　固定突起
４０　　　固定リング　　　　　　　４１　　　ねじ穴
５０　　　シャフト　　　　　　　　５１　　　グリップ
５２　　　結合穴　　　　　　　　　５３　　　ねじ山部分
【図１】
0003099693.tif 000003
【図２】
0003099693.tif 000004
【図３】
0003099693.tif 000005
【図４】
0003099693.tif 000006
【図５】
0003099693.tif 000007
【図６】
0003099693.tif 000008
【図７】
0003099693.tif 000009